(57)【特許請求の範囲】
【請求項１】
表示部、参照画像データを補正した所定の画像データを格納した記憶部、前記表示部に表示される参照画像を用いて補正データを生成する補正データ生成部、および前記補正データを用いて画像データを補正する画像データ補正部を含む電子機器の本体と、
前記参照画像を撮像することによって撮像画像データを取得する撮像部と
を備え、
前記所定の画像データは、前記電子機器の製造段階で生成された前記補正データである初期補正データによって前記参照画像データを補正した修正参照画像データであり、
前記表示部は、前記修正参照画像データに基づいて前記参照画像を表示し、
前記補正データ生成部は、前記電子機器の製造段階において、前記撮像画像データまたは前記撮像画像データに基づくデータと、前記参照画像データまたは前記参照画像データに基づくデータとの比較結果に基づいて前記補正データである前記初期補正データを生成し、前記電子機器の使用開始後において、前記撮像画像データまたは前記撮像画像データに基づくデータと、前記修正参照画像データまたは前記修正参照画像データに基づくデータとの比較結果に基づいて前記補正データである新たな補正データを生成し、
前記画像データ補正部は、前記補正データ生成部が前記新たな補正データを生成した場合、前記補正データのうち、前記新たな補正データを用いて前記画像データを補正する、補正画像生成システム。
【請求項２】
前記参照画像データは、単一の階調値を有する画像データであり、前記修正参照画像データは、複数の階調値を有する画像データである、請求項１記載の補正画像生成システム。
【請求項３】
前記参照画像データは、規則的な階調値の変化を有する画像データであり、前記修正参照画像データは、不規則な階調値の変化を有する画像データである、請求項１記載の補正画像生成システム。
【請求項４】
前記記憶部は、書き換え可能な不揮発性の記憶媒体である、請求項１〜３のいずれか１項に記載の補正画像生成システム。
【請求項５】
格納されたデータが読み出される読み出し速度が前記記憶部より速い揮発性の一時記憶部をさらに備える、請求項４記載の補正画像生成システム。
【請求項６】
前記記憶部は、前記補正データ生成部が生成した前記補正データを格納し、
前記一時記憶部は、前記電子機器の動作中に、前記記憶部から前記補正データを読み出すことで、前記補正データを一時的に格納し、
前記画像データ補正部は、前記一時記憶部に格納される前記補正データを読み出すことで、前記画像データを補正する、請求項５記載の補正画像生成システム。
【請求項７】
所定の画像データに基づいて、参照画像を表示する第１ステップと、
前記参照画像を撮像することによって、撮像画像データを取得する第２ステップと、
前記撮像画像データを用いて補正データを生成する第３ステップと、
前記補正データを用いて画像データを補正する第４ステップと
を含み、
前記所定の画像データは、前記参照画像を表示する表示部を含む電子機器の製造段階で生成された前記補正データである初期補正データによって参照画像データを補正した修正参照画像データであり、
前記第３ステップにおいて、前記電子機器の製造段階では、前記撮像画像データまたは前記撮像画像データに基づくデータと、前記参照画像データまたは前記参照画像データに基づくデータとの比較結果に基づいて前記補正データである前記初期補正データを生成し、前記電子機器の使用開始後では、前記撮像画像データまたは前記撮像画像データに基づくデータと、前記修正参照画像データまたは前記修正参照画像データに基づくデータとの比較結果に基づいて前記補正データである新たな補正データを生成し、
前記第３ステップにおいて、前記新たな補正データを生成した場合、前記第４ステップにおいて、前記補正データのうち、前記新たな補正データを用いて前記画像データを補正する、画像制御方法。
【請求項８】
前記第３ステップにおいて、前記撮像画像データにおける表示むらの明部の階調値を調整し、前記表示むらの暗部の階調値を維持する前記補正データを生成する、請求項７記載の画像制御方法。
【請求項９】
前記第３ステップにおいて、前記撮像画像データにおける表示むらの暗部の階調値を調整し、前記表示むらの明部の階調値を維持する前記補正データを生成する、請求項７記載の画像制御方法。
【請求項１０】
前記第３ステップにおいて、前記撮像画像データにおける表示むらの明部の階調値および暗部の階調値の両方を調整する前記補正データを生成する、請求項７記載の画像制御方法。
【請求項１１】
画像データに基づいて画像を表示する表示部、参照画像データを補正した所定の画像データを格納した記憶部、前記画像データの補正データを生成する補正データ生成部、および前記画像データを補正する画像データ補正部を備える電子機器の本体と、被写体を撮像する撮像部とを含む補正画像生成システムにおける前記画像の表示むらを補正させるための画像制御プログラムにおいて、
前記所定の画像データは、前記電子機器の製造段階で生成された前記補正データである初期補正データによって前記参照画像データを補正した修正参照画像データであり、
前記表示部に、前記修正参照画像データに基づいて、参照画像を表示させる第１ステップと、
前記撮像部に、前記参照画像を撮像させることによって、撮像画像データを取得させる第２ステップと、
前記補正データ生成部に、前記電子機器の製造段階において、前記撮像画像データまたは前記撮像画像データに基づくデータと、前記参照画像データまたは前記参照画像データに基づくデータとの比較結果に基づいて前記補正データである前記初期補正データを生成させ、前記電子機器の使用開始後において、前記撮像画像データまたは前記撮像画像データに基づくデータと前記修正参照画像データまたは前記修正参照画像データに基づくデータとの比較結果に基づいて前記補正データである新たな補正データを生成させる第３ステップと、
前記画像データ補正部に、前記補正データを用いて前記画像データを補正させる第４ステップと
を前記補正画像生成システムに実行させ、
前記第３ステップにおいて、前記補正データ生成部に前記新たな補正データを生成させた場合、前記第４ステップにおいて、前記画像データ補正部に、前記補正データのうち、前記新たな補正データを用いて前記画像データを補正させる、画像制御プログラム。
【請求項１２】
請求項１１記載の画像制御プログラムを記憶した、コンピュータで読み取り可能な非一時的な記録媒体。
【発明の詳細な説明】
【技術分野】
【０００１】
本発明は、補正画像生成システム、画像制御方法、画像制御プログラム、および記録媒体に関する。
【背景技術】
【０００２】
テレビ受信機器や携帯機器の表示部などの様々な用途に、有機電界発光（以下、「有機ＥＬ」という）ディスプレイ装置や液晶ディスプレイ装置などの表示装置が利用されている。これらの表示装置では、入力信号に基づいて表示させるべき所望の色（輝度）と、実際に表示される色（輝度）とが、表示装置が有する入出力特性の影響で異なってしまうことがある。そのため、その表示装置の特性に応じて、いわゆるガンマ補正などの補正が行われている。【０００３】
また、表示装置を含む電子機器は、ユーザが使用を開始する前の段階、つまり、電子機器の出荷前の製造段階における製造ばらつきに起因する表示むら（以下、初期表示むらという）を生じていることがある。初期表示むらは、表示装置に含まれる各画素の特性の不均一により生じる。このような初期表示むらをユーザが視認し難くするために、電子機器を出荷する前に画像データの補正用データを生成することによって、表示装置の画質が改善されている。具体的には、製造工程の最終段階において、外部から入力される所定の画像データに基づいて表示装置に画像を表示させ、表示装置に表示された画像の撮像画像データを外部の撮像装置を用いて取得する。そして、入力された所定の画像データと撮像画像データとを比較することにより、初期表示むらを解消するための補正データを生成する。出荷後は、得られた補正データを用いて補正された画像データに基づく画像が表示装置に表示される（例えば、特許文献１参照）。上述した所定の画像データとしては、階調値が均一な画像データまたは階調値が連続的に変化する画像データなどの一定の規則性がある画像データが用いられる。このような手法によって、製造段階において生じた表示装置の初期表示むらを視認し難くし、ユーザによる使用時の画質を改善している。
【先行技術文献】
【特許文献】
【０００４】
【特許文献１】特開２０１０−５７１４９号公報
【発明の概要】
【発明が解決しようとする課題】
【０００５】
例えば、有機ＥＬディスプレイ装置は、各画素に対応する発光素子である有機ＥＬ素子がそれぞれ発光することによって、発光ドットの集合体として画像を表示する。１つの画素は、さらに、赤色、緑色および青色などのサブ画素からなり、サブ画素毎に、赤色、緑色、または青色を発光する有機ＥＬ素子が形成されている。しかし、各サブ画素に個々に含まれる有機ＥＬ素子の製造ばらつきに加え、個々の有機ＥＬ素子を所望の輝度に発光させるための駆動素子である薄膜トランジスタ（以下、「ＴＦＴ」という）などの製造ばらつきに起因して、各サブ画素の発光特性が異なることがある。例えば、有機ＥＬディスプレイ装置の一領域において各色のサブ画素の明るさが揃って他の領域のサブ画素の明るさと異なっている場合は輝度むらが発生することとなる。また、ある特定の色のサブ画素の明るさが他の色のサブ画素の明るさと異なる場合は色度むらが生じる。また、輝度むらと色度むらが同時に発生する場合もある。このような初期表示むらは、主に、有機ＥＬ素子およびＴＦＴなどの製造ばらつきのうち、ＴＦＴ特性の製造ばらつきに起因して、発生することが多い。【０００６】
一方、電子機器の使用開始後においては、使用による有機ＥＬ素子およびＴＦＴなどの経時劣化に起因して、各サブ画素の発光特性が時間の経過とともに変化する。有機ＥＬ素子においては、その積層構造に含まれる有機発光層および電子／ホール注入層などを構成する有機材料に駆動電流が流れることに起因する経時劣化により、一般的には駆動電流値に対する輝度が小さくなる。このような経時劣化に伴う特性変化の度合いは、ＴＦＴよりも有機ＥＬ素子の方が大きく、その経時劣化の度合も各サブ画素によって異なる。そのため、表示装置の使用開始後においても、経時劣化の進行に伴って、部分的な輝度むらや色度むらが、有機ＥＬディスプレイ装置毎に、異なる時期および程度で新たに発生し得る。つまり、電子機器の製造段階において生じる主としてＴＦＴ特性の製造ばらつきに起因する初期表示むらとは異なり、電子機器の使用開始後においては、主として有機ＥＬ素子の経時劣化に起因する表示むらが生じ得る。したがって、上述の製造工程の最終段階に生成した補正データを用いて補正された画像データに基づいて有機ＥＬディスプレイ装置に画像を表示したとしても、電子機器の使用開始後の時間経過に伴う有機ＥＬ素子の発光特性およびＴＦＴ特性の劣化によって、再度、表示画像に表示むらが生じ得る。しかしながら、このような経時劣化による表示むらを解消する適切な手法は、未だに提案されていない。【０００７】
本発明は、このような問題を解決するためになされたもので、その目的は、電子機器の使用開始後に生じた経時劣化による表示むらを適切に解消することができる補正画像生成システム、画像制御方法、画像制御プログラム、および記録媒体を提供することにある。
【課題を解決するための手段】
【０００８】
本発明の一実施形態である補正画像生成システムは、表示部、参照画像データを補正した所定の画像データを格納した記憶部、前記表示部に表示される参照画像を用いて補正データを生成する補正データ生成部、および前記補正データを用いて画像データを補正する画像データ補正部を含む電子機器の本体と、前記参照画像を撮像することによって撮像画像データを取得する撮像部とを備え、前記所定の画像データは、前記電子機器の製造段階で生成された初期補正データによって前記参照画像データを補正した修正参照画像データであり、前記表示部は、前記修正参照画像データに基づいて前記参照画像を表示し、前記補正データ生成部は、前記撮像画像データまたは前記撮像画像データに基づくデータと、前記修正参照画像データまたは前記修正参照画像データに基づくデータとの比較結果に基づいて前記補正データを生成する。【０００９】
本発明の一実施形態である画像制御方法は、所定の画像データに基づいて、参照画像を表示する第１ステップと、前記参照画像を撮像することによって、撮像画像データを取得する第２ステップと、前記撮像画像データを用いて補正データを生成する第３ステップと、前記補正データを用いて画像データを補正する第４ステップとを含み、前記所定の画像データは、前記参照画像を表示する表示部を含む電子機器の製造段階で生成された初期補正データによって参照画像データを補正した修正参照画像データであり、前記撮像画像データまたは前記撮像画像データに基づくデータと、前記修正参照画像データまたは前記修正参照画像データに基づくデータとの比較結果に基づいて前記補正データを生成する。【００１０】
本発明の一実施形態である画像制御プログラムは、画像データに基づいて画像を表示する表示部、参照画像データを補正した所定の画像データを格納した記憶部、前記画像データの補正データを生成する補正データ生成部、および前記画像データを補正する画像データ補正部を備える電子機器の本体と、被写体を撮像する撮像部とを含む補正画像生成システムにおける前記画像の表示むらを補正させるための画像制御プログラムにおいて、前記所定の画像データは、前記電子機器の製造段階で生成された初期補正データによって前記参照画像データを補正した修正参照画像データであり、前記表示部に、前記修正参照画像データに基づいて、参照画像を表示させる第１ステップと、前記撮像部に、前記参照画像を撮像させることによって、撮像画像データを取得させる第２ステップと、前記補正データ生成部に、前記撮像画像データまたは前記撮像画像データに基づくデータと前記修正参照画像データまたは前記修正参照画像データに基づくデータとの比較結果に基づいて前記補正データを生成させる第３ステップと、前記画像データ補正部に、前記補正データを用いて前記画像データを補正させる第４ステップとを前記補正画像生成システムに実行させる。【００１１】
本発明の一実施形態である記録媒体は、上記画像制御プログラムを記録した、コンピュータで読み取り可能な非一時的な記録媒体である。
【発明の効果】
【００１２】
本発明の一実施形態の補正画像生成システム、画像制御方法、画像制御プログラム、および記録媒体によれば、電子機器の使用開始後に生じた経時劣化による表示むらを適切に解消することができる。
【図面の簡単な説明】
【００１３】
【図１Ａ】本発明の第１実施形態の一機器構成である補正画像生成システムを示す斜視図である。
【図１Ｂ】本発明の第１実施形態の一機器構成である補正画像生成システムを示す斜視図である。
【図１Ｃ】本発明の第１実施形態の一機器構成である補正画像生成システムを示す斜視図である。
【図２】本発明の第１実施形態の一機器構成である補正画像生成システムの表示部に参照画像を表示させた場合の補正画像生成システムの本体を示す模式的な正面図である。
【図３】図２に示される、鏡に映し出された補正画像生成システムの本体の表示部に表示された撮像画像と、撮像画像から表示画像をトリミングした画像を模式的に示す正面図である。
【図４】本発明の第１実施形態である補正画像生成システムの構成の概要を示すブロック図である。
【図５】本発明の第１実施形態である補正画像生成システムに含まれる表示部の構成の概要を示す回路図である。
【図６】図５に示される回路の電圧輝度特性の概要を示すグラフである。
【図７】本発明の第１実施形態である画像制御方法における画像データの補正方法の概要を示すブロック図である。
【図８Ａ】本発明の第２実施形態である画像制御方法の一部を示すフローチャートである。
【図８Ｂ】本発明の第２実施形態である画像制御方法の一部を示すフローチャートである。
【図９】本発明の第３実施形態である画像制御方法の一部を示すフローチャートである。
【発明を実施するための形態】
【００１４】
（第１実施形態の機器構成）
以下、図面を参照しながら、本発明の第１実施形態の補正画像生成システムが説明される。図１Ａ〜１Ｃは、本実施形態の補正画像生成システムの機器構成を斜視図で示している。なお、本実施形態を含む以下の実施形態では、一般的に、表示部が表示する表示画像に何らかのむらが生じている状態を「表示むら」とし、「表示むら」は、色度むら、および輝度むらなどの表示画像のむらの状態を含むものとする。また、各図面において、同じ機能を有する部分には、同一の符号が付されている。
【００１５】
図１Ａに示される機器構成は、補正画像生成システムが、タブレットＰＣ（Personal Computer）またはスマートフォンなどの携帯機器１０Ａとして一体化されている場合を示している。携帯機器１０Ａは、１個の電子機器としての本体１１に携帯機器１０Ａとしての諸機能を発揮するための様々な装置を内蔵しており、静止画または動画を表示する表示部２０と、静止画または動画を撮像する撮像部３０などを備えている（図１Ａでは、表示部２０および撮像部３０は、それぞれ、鏡Ｍに映し出されている。）。つまり、この機器構成では、撮像部３０は、表示部２０とともに本体１１に内蔵されることによって、本体１１と一体的に形成されている。
【００１６】
携帯機器の本体１１は、例えば、略直方体形状に形成されており、略直方体形状を構成する面の１つである第１面１１ａ（図１Ａでは、第１面１１ａは、鏡Ｍに映し出されている）と、第１面１１ａの反対面である第２面１１ｂとを有している。そして、表示部２０の表示面２０ａと撮像部３０の撮像窓３０ａが第１面１１ａの方向に露出するように、表示部２０および撮像部３０が本体１１に取り付けられている。ここで、図１Ａに示される機器構成では、撮像部３０は、常時、本体１１から突出して形成されていてもよく、使用時のみに、本体１１から突出するように（つまり、必要な時だけ、本体１１から突出するように、モータまたはバネなどの駆動機構を撮像部３０または本体１１に装備するように）本体１１から出入自在に形成されていてもよい。つまり、表示部２０の表示面２０ａと撮像部３０の撮像窓３０ａが、第１面１１ａの方向に露出するように取り付けられていれば、表示部２０および撮像部３０が、本体１１の第１面１１ａに取り付けられているか、本体１１から突出しているかを問わない。このような携帯機器１０Ａの構成では、撮像部３０の撮像窓３０ａは、表示部２０の表示面２０ａと同じ方向を向くので、携帯機器１０Ａの表示部２０を鏡Ｍに映し出すことによって、撮像部３０は、表示部２０の表示画像を撮像することができる。
【００１７】
図１Ｂに示される機器構成は、補正画像生成システムが、電子機器の本体１１から脱着自在な撮像部３０を備えた携帯機器１０Ｂである場合を示している。具体的には、例えば、本体１１が、雌の電気コネクタ１１１を備え、撮像部３０は、対応する雄の電気コネクタ１２１を備えることによって、撮像部３０は、雌雄の電気コネクタ１１１、１２１の機械的結合による有線通信を介して、本体１１と通信することができる。撮像部３０は、Ｂｌｕｅｔｏｏｔｈ（登録商標）やＷｉ−Ｆｉ（登録商標）などの無線通信によっても、本体１１と通信可能に接続できてもよい。また、撮像部３０は、嵌合などの機械的結合による有線通信、および無線通信の双方で本体１１と通信可能に接続できてよい。電気コネクタ１１１、１２１の雌雄は、反対であってもよく、撮像部３０は、本体１１の専用部品であってもよいし、他のシステムとの共用部品であってもよい。つまり、この機器構成では、撮像部３０は、本体１１への装着と装着の解除を行う脱着機構を備えている。
【００１８】
図１Ｃに示される機器構成は、補正画像生成システムが、例えば、表示機器としての電子機器の本体１１と、撮像機器としての別機器１２である撮像部３０を備える２つの機器を有するシステム１０Ｃである場合を示している。図１Ｃに示される例では、撮像部３０は、ケーブル線１３などの有線によって、本体１１と通信可能に接続されているが、無線によって、本体１１と通信可能に接続されてもよい。つまり、この機器構成では、撮像部３０は、本体１１と別機器１２で形成されており、撮像部３０は、有線または無線によって、本体１１と接続されている。
【００１９】
このような本実施形態において、表示部２０に表示される表示画像に含まれる表示むらを解消する概略手順を、図１Ａに示される携帯機器１０Ａの機器構成を例として、図１Ａ、２および３を参照しながら説明する。図２は、電子機器の使用開始後から時間を経過した携帯機器１０Ａの第１面１１ａを示しており、修正参照画像データに基づいて、表示部２０に参照画像を表示させた際の様子を示している。ここで、「参照画像」とは、表示画像に含まれる表示むらを視覚的に認識するために用いられる画像を指し、「参照画像データ」とは、参照画像を表示するための基礎となる画像データを指すものとする。また、「初期補正データ」とは、電子機器の製造段階で生じていた初期表示むらを解消するために、画像データを補正するデータを指し、「修正参照画像データ」とは、初期補正データによって参照画像データを補正したデータを指すものとする。なお、「製造段階」とは、表示部２０を備える電子機器が出荷されるまでの製造プロセスにおけるいずれかの段階を指すものとし、本体１１の製造プロセスのみならず、表示部２０の製造プロセスおよび電子機器を完成させるまでの表示部２０などの構成要素の製造プロセスを含むものとする。
【００２０】
例えば、参照画像データが、単一階調値のグレースケールの画像データである場合、修正参照画像データに基づいて表示部２０に参照画像を表示した際には、主として、サブ画素を構成するＴＦＴなどのスイッチング素子特性の製造ばらつきに起因して生じる初期表示むらは解消されているので、表示部２０には、表示面２０ａ全面に一様なコントラストのグレー画像が表示画像として表示されるべきである。しかしながら、例えば、表示部２０の画素を構成する素子毎に、電子機器の使用開始後の特性の経時劣化が一様ではないために、明るく表示される部分（以下、「表示むらの明部」という）Ｕ２、Ｕ３と、暗く表示される部分（以下、「表示むらの暗部」という）Ｕ１、Ｕ４が表示画像に生じている。これらの表示むらの明部Ｕ２、Ｕ３と暗部Ｕ１、Ｕ４は、電子機器の使用開始後に生じた表示むらのみを反映しており、主として、各サブ画素を構成する有機ＥＬ素子などの画素素子の特性の経時劣化のばらつきに起因して生じる。ユーザは、表示むらＵ１〜Ｕ４を視認した場合、例えば、表示部２０のタッチ操作により、後述する画像制御プログラムの実行を開始させる。そして、図１Ａに示されるように、ユーザは、鏡Ｍに表示画像を映し出した後、図３に示されるように、撮像部３０を用いて表示部２０の表示画像を撮像することによって、撮像画像データを取得する。この際、鏡Ｍにおいて映し出される画像は、表示画像の鏡像である。その後、本体１１に格納された画像制御プログラムは、後述するように、撮像画像データから表示画像に対応する部分のみをトリミングする画像処理を行い、得られたトリミング後の撮像画像データなどを修正参照画像データなどと比較することによって、電子機器の使用開始後の表示むらＵ１〜Ｕ４を解消するための補正データの生成を携帯機器１０Ａに実行させる。そして、得られた補正データに基づいて、表示部２０に表示する任意の画像データを補正することによって、携帯機器１０Ａの表示部２０には、表示むらＵ１〜Ｕ４が解消された表示画像が表示される。このように、鏡Ｍを用いることによって、撮像部３０が電子機器の本体１１と一体となった携帯機器１０Ａである場合でも、本体１１と別体である撮像装置を別途準備しなくても、表示画像の鏡像を撮像することで、撮像画像データを取得することができる。
【００２１】
図１Ｂに示される携帯機器１０Ｂの機器構成、および、図１Ｃに示されるシステム１０Ｃの機器構成では、撮像部３０を表示部２０と直接対向させることができるので、必ずしも、図１Ａに示される携帯機器１０Ａのように鏡Ｍに表示画像を映し出す必要はなく、撮像部３０によって、表示画像を直接的に撮像してもよい。
【００２２】
すなわち、本実施形態の各機器構成は、携帯機器１０Ａ、１０Ｂまたはシステム１０Ｃの本体１１内に、後述するように、電子機器の使用開始後の表示部２０の経時劣化の度合いに合わせて任意の画像データを補正するための諸機能が備えられている。そのため、ユーザは、電子機器の使用開始後に経時劣化による表示むらが生じた場合に、表示部２０を新品に交換する必要はないので、交換のために、わざわざ、修理店に機器を持ち込んだり、修理オペレータを呼んだりすることなく、簡単な手法で、ユーザ自らによって、意図するタイミングで、表示部の表示むらを適切に解消することができる。
【００２３】
（第１実施形態のブロック構成）
次に、上述の機器構成の補正画像生成システムのブロック構成の概要が説明される。図４に、本発明の第１実施形態の補正画像生成システムの構成の概要がブロック図で示されている。なお、図１Ａの携帯機器１０Ａ、図１Ｂの携帯機器１０Ｂ、および図１Ｃのシステム１０Ｃは、図４中では、補正画像生成システム１０として示されている。
【００２４】
本実施形態の補正画像生成システム１０は、図４に示されるように、表示部２０と、撮像部３０と、制御部４０と、検出部５０とを備えている。
【００２５】
表示部２０は、画像データに基づいて画像を表示する部分であって、例えば、アクティブマトリクス型の有機ＥＬ表示パネルや液晶表示パネルなどによって構成される表示パネル２１と、表示パネルを駆動させる表示駆動部２２とを備えている。
【００２６】
表示パネル２１は、図５に示されるように、表示画像を構成する画素を含み、１つの画素は、赤色光、緑色光、および青色光をそれぞれ発光するＲ（赤）サブ画素、Ｇ（緑）サブ画素、およびＢ（青）サブ画素などによって構成される複数のサブ画素２１１（図５では、説明の簡略化のために、１つのサブ画素２１１のみを示している）を備えている。そして、例えば、表示パネル２１が有機ＥＬ表示パネルである場合、各サブ画素２１１は、赤色光、緑色光、または青色光の発光強度を調整する有機ＥＬ素子によって構成される画素素子２１１ｅと、画素素子２１１ｅに電力を供給するためのＴＦＴなどによって構成される駆動用スイッチング素子２１１ｄと、サブ画素２１１を選択するためのＴＦＴなどによって構成される選択用スイッチング素子２１１ｓと、電荷を蓄えるコンデンサなどによって構成される容量素子２１１ｃと、データ信号および走査信号がそれぞれ入力されるデータ線２１Ｄおよび走査線２１Ｓなどを備えている。
【００２７】
また、表示駆動部２２は、データ信号を生成して、これをデータ線２１Ｄに供給するデータ線駆動部２２Ｄと、走査信号を生成して、これを走査線２１Ｓに供給する走査線駆動部２２Ｓとを備えている。
【００２８】
具体的には、走査線２１Ｓは、選択用スイッチング素子２１１ｓのゲート電極と接続され、走査線２１Ｓにハイレベルの走査信号が入力された場合、選択用スイッチング素子２１１ｓがＯＮとなる。他方、データ線２１Ｄは、選択用スイッチング素子２１１ｓのソース電極およびドレイン電極の一方と接続され、選択用スイッチング素子２１１ｓがＯＮとなった場合に、選択用スイッチング素子２１１ｓのソース電極およびドレイン電極の他方と接続されている駆動用スイッチング素子２１１ｄのゲート電極にデータ信号に応じたデータ電圧Ｖを入力する。データ電圧Ｖは、駆動用スイッチング素子２１１ｄのゲート電極とソース電極またはドレイン電極との間に接続された容量素子２１１ｃによって、所定期間、保持される。
【００２９】
駆動用スイッチング素子２１１ｄのドレイン電極およびソース電極の一方は、電源電極Ｖｐと接続されており、他方は、画素素子２１１ｅのアノード電極と接続されている。画素素子２１１ｅのカソード電極は、共通電極Ｖｃに接続されている。そして、上述した所定期間に、駆動用スイッチング素子２１１ｄがＯＮとなった場合に、データ電圧値Ｖに応じて、画素素子２１１ｅに素子電流値Ｉが流れることで、図６に示されるような特性で赤色光、緑色光、または青色光がデータ電圧値Ｖに応じて輝度Ｌで発光される。なお、データ電圧値Ｖと輝度Ｌとの関係については、後述される。
【００３０】
このように、表示パネル２１を構成する多数の画素に含まれる各サブ画素２１１の画素素子２１１ｅがデータ信号および走査信号によって制御されるので、任意の画像データに基づいて、表示部２０は、表示面２０ａに画像を表示することができる。そして、本実施形態の補正画像生成システム１０は、主として、画素素子２１１ｅの発光特性の経時劣化を補完するために、後述する補正データを生成する。これと同時に、この補正データにより、選択用スイッチング素子２１１ｓおよび駆動用スイッチング素子２１１ｄのスイッチング素子特性の経時劣化も補完される。
【００３１】
図４に戻り、撮像部３０は、被写体を撮像する部分であり、図１Ａなどに示される撮像窓３０ａから入射する被写体からの光を撮像画像データとして取得する撮像素子３１と、撮像素子３１の撮像面に被写体を結像させるレンズ群３２と、撮像素子３１およびレンズ群３２の少なくとも一方を変位させるアクチュエータ３３とを備えている。
【００３２】
撮像素子３１は、ＣＣＤ（Charge-Coupled Device）イメージセンサやＣＭＯＳ（Complementary Metal Oxide Semiconductor）イメージセンサなどによって構成される。撮像素子３１は、後述する照度調整信号に基づいて、撮像感度を調整できてもよい。
【００３３】
レンズ群３２は、被写体にピントを合わせるフォーカスレンズと、撮像素子３１の撮像面に被写体の結像が納まるように光路を補正する補正レンズと、絞りの大きさ、およびシャッター速度を変化させることによって、撮像素子３１の露出量を調整する絞り機構およびシャッター機構などを備えている。なお、本明細書において、「被写体にピントを合わせる」、および、これに類する表現は、被写体の結像面と撮像素子の撮像面とのずれが許容範囲（焦点深度）内に収まり、見かけ上、被写体にピントが合う状態を指すものとする。
【００３４】
アクチュエータ３３は、ボイスコイルモータ、ピエゾ素子、または形状記憶合金などからなり、撮像素子３１またはレンズ群３２の補正レンズと結合されている。アクチュエータ３３が、後述する手振れ補正信号に基づいて、撮像部３０の揺れを打ち消す方向に撮像素子３１またはレンズ群３２の補正レンズを撮像部３０に対して相対変位させることによって、いわゆる手振れによる撮像画像データへの悪影響が抑制される。この構成に代えて、撮像素子３１およびレンズ群３２を一つのユニットとし、このユニットをアクチュエータ３３と結合させてもよい。この場合、アクチュエータ３３が一体的な撮像素子３１およびレンズ群３２を撮像部３０に対して相対変位させることによって、手振れによる撮像画像データへの悪影響が抑制される。
【００３５】
また、アクチュエータ３３は、レンズ群３２のフォーカスレンズと結合されている。これにより、アクチュエータ３３が、後述する焦点調整信号に基づいて、フォーカスレンズを変位させるので、撮像部３０は、被写体に自動的に焦点を合わせることができる。さらに、アクチュエータ３３はレンズ群３２の絞り機構およびシャッター機構と結合されており、後述する照度調整信号が入力されることによって、撮像部３０は、絞りの大きさとシャッター速度をそれぞれ調整することができる。また、アクチュエータ３３は、被写体に一度ピントが合わせられた場合に、被写体が動いても自動的に追尾してピントを合わせ続けるようにフォーカスレンズを変位させてもよい。
【００３６】
制御部４０は、補正画像生成システム１０を構成する各部分の制御およびデータの演算処理などを行う部分であって、ＣＰＵ（Central Processing Unit）と、ＤＲＡＭ（Dynamic Random Access Memory）またはＳＲＡＭ（Static Random Access Memory）などのＲＡＭ（Random Access Memory）と、フラッシュメモリまたはＥＥＰＲＯＭ（Electrically Erasable Programmable Read-Only Memory）などのＲＯＭと、これらの周辺回路などを備えている。制御部４０は、後述する記憶部４８として機能するＲＯＭに格納されている制御プログラムを実行することができ、その際に、後述する一時記憶部４９として機能するＲＡＭを作業領域として用いる。制御部４０は、ＲＯＭに格納された画像制御プログラムを実行することによって、補正データ生成部４１、画像データ補正部４２、手振れ補正部４３、焦点調整部４４、露出調整部４５、操作判定部４６、操作画像生成部４７、記憶部４８、および一時記憶部４９として機能する。
【００３７】
補正データ生成部４１は、表示部２０に表示される表示画像の表示むらを解消するために、画像データを補正する補正データを生成する部分であり、画像処理部４１１と、階調差生成部４１２と、表示むら判定部４１３と、階調調整部４１４と、補正値生成部４１５などを備えている。具体的には、補正データ生成部４１は、表示部２０に表示された画像の表示画像データまたは表示画像データに基づくデータと修正参照画像データまたは修正参照画像データに基づくデータとの比較結果によって、補正データを生成する。ここで、「表示画像データに基づくデータ」は、表示画像データを反転させたデータおよびその画像データの階調値を調整したデータを含み、「修正参照画像データに基づくデータ」は、修正参照画像データを反転させたデータを含む。また、「画像データを反転させる」とは、画像データの座標の各行において、中央列を対称軸として対称な２つの座標間でそれぞれの階調値を入れ替える、いわゆる画像データを「左右反転」させることを指す。また、「階調値を調整する」とは、表示画像の明暗のコントラストが変更されるように、対応する画像データの全座標の階調値を一様に変更することを指す。
【００３８】
ここで、本実施形態では、表示画像データとして、撮像部３０が撮像することによって取得した撮像画像データを用いる。つまり、本実施形態では、表示部２０に表示された表画像の表示画像データを撮像画像データとして取得する。また、後述するように、補正データ生成部４１は、表示部２０を含む携帯機器１０Ａ、１０Ｂやシステム１０Ｃの表示機器などの電子機器の使用開始後に生じる表示むらを補正する補正データだけでなく、初期補正データを生成する際に用いられてもよい。補正データは、画像データの各座標（表示パネル２１の１画素に対応するアドレス）に対応して生成される。ここで、「座標」は、１画素または１サブ画素に対応する画像データ中の１つの座標だけでなく、表示面２０ａを等しく分割した表示エリアに対応する画像データ中の座標群を含むものとする。つまり、補正データ生成部４１は、１画素または１サブ画素に対応する画像データ中の座標毎ではなく、表示エリアに対応する座標群毎に、補正データを算出してもよい。
【００３９】
画像処理部４１１は、撮像画像データから表示画像に対応する部分のみをトリミングする画像処理を行うことによって、補正データを生成する際に用いるべき撮像画像データとする。また、画像処理部４１１は、図１Ｂに示されるような、撮像部３０が本体１１と脱着自在な機器構成の場合、後述する脱着検出信号が入力されることによって、撮像部３０の本体１１への脱着状態を判定することが好ましい。また、携帯機器１０Ｂとしての機器構成において、撮像部３０が本体１１から取り外されていると判定される場合、または、図１Ｃに示されるような、システム１０Ｃとしての機器構成の場合に、画像処理部４１１は、撮像部３０によって撮像された参照画像が鏡Ｍに映し出された鏡像であるか否かを判定することが好ましい。画像処理部４１１は、後述するように、例えば、撮像画像データまたは撮像画像データに基づくデータに含まれる認識マークＲに基づいて、この判定を実行できてもよい。
【００４０】
参照画像が鏡像である状態で撮像された場合、取得された撮像画像データを修正参照画像データと単純に比較できない。そこで、画像処理部４１１は、参照画像が鏡像であると判定する場合には、撮像画像データと、修正参照画像データとの比較を容易にするために、撮像画像データおよび修正参照画像データのいずれか一方を反転させる画像処理を行うことが好ましい。この場合、補正データ生成部４１は、反転させた撮像画像データと参照画像データとの比較結果、または、撮像画像データと反転させた修正参照画像データとの比較結果に基づいて補正データを生成することが好ましい。
【００４１】
修正参照画像データを用いて表示部２０に表示される参照画像は、電子機器の製造段階に生じていた初期表示むらが解消された状態で表示されるので、この参照画像に生じた表示むらは、電子機器の使用開始後に生じたものということになる。この場合、ユーザは、この使用開始後の表示むらが視認できる程度になった時点で、後述する画像制御プログラムを実行させることによって、表示むらを解消することができる利点がある。
【００４２】
画像処理部４１１は、図１Ｂおよび１Ｃに示される機器構成の場合に、後述するように、撮像画像の向きを判定し、撮像部３０によって撮像された参照画像の向きが表示部２０によって表示された参照画像の向きと異なる場合、撮像画像データの向きを修正参照画像データの向きと一致させる画像処理を行うことが好ましい。
【００４３】
階調差生成部４１２は、撮像画像データまたは後述する階調調整部４１４によって生成される修正撮像画像データと、修正参照画像データとの差分である階調差データを生成する。ここで、修正参照画像データに基づいて表示部２０に表示された参照画像では、電子機器の使用開始後の表示むらのみが反映されており、修正参照画像データでは、電子機器の製造段階に生じた初期表示むらを解消するための補正が反映されているので、初期表示むら、および、使用開始後の表示むらに対応する座標の階調差データが「０」以外の値となる。また、階調差生成部４１２は、携帯機器１０Ａ、１０Ｂや表示機器１０Ｃなどの電子機器の製造段階においても同様に、撮像画像データまたは修正撮像画像データと参照画像データとの差分である初期階調差データを生成してもよい。
【００４４】
表示むら判定部４１３は、階調差生成部４１２から入力される階調差データに基づいて、初期表示むら、および、使用開始後の表示むらの明暗を判定する。具体的には、例えば、表示むら判定部４１３は、階調差データにおいて、「０」である座標を表示むらがないものとし、正の値の座標を輝度むらの明部であるとし、負の値の座標を輝度むらの暗部である判定する。
【００４５】
階調調整部４１４は、撮像画像データの階調値（参照画像における全体的な輝度）が、後述する露出調整部４５などによる調整によっても、比較すべき修正参照画像データの階調値と十分に合致しない場合に、撮像画像データの階調値を調整した修正撮像画像データを生成する。具体的には、階調調整部４１４は、撮像画像データの階調値を各座標において一定の値で乗算することによって、乗算後の撮像画像データの階調値が修正参照画像データの階調値と最も合致する乗算値を算出し、算出した乗算値を用いて撮像画像データの各座標の階調値を乗算した修正撮像画像データを生成する。なお、露出調整部４５の調整により、撮像画像データの階調値が、修正参照画像データの階調値と最も合致するように生成されている場合には、階調調整部４１４は、撮像画像データを修正しなくてもよい。階調調整部４１４は、電子機器の製造段階においても同様に、修正参照画像データを生成してもよいが、この場合、撮像画像データと比較すべきデータは、参照画像データである。
【００４６】
補正値生成部４１５は、撮像画像データまたは修正撮像画像データに基づいて、画像データの階調値とサブ画素２１１の画素素子２１１ｅに入力されるデータ電圧値Ｖなどとの関係から、座標毎の補正パラメータを補正値テーブルとして生成する。また、補正値生成部４１５は、表示むら判定部４１３から入力される階調差データによる表示むらの明暗のいずれかの判定結果に基づいて、特定の組合せに該当する座標の階調値を補正し、特定の組合せに該当しない座標の階調値を維持するように補正データを生成してもよい。具体的には、後述する画像処理方法の実施形態のように、例えば、表示むらの暗部であって、初期表示むらの暗部でもある座標の階調値を維持し、それ以外の表示むらの座標の階調値を調整することによって、補正データを生成してもよい。また、補正値生成部４１５は、電子機器の製造段階においても同様に、撮像画像データまたは修正撮像画像データに基づいて、座標毎の初期補正パラメータを初期補正値テーブルとして生成してもよい。この初期補正値テーブルには、初期表示むらのみを解消するための補正パラメータが格納されることになる。なお、上述した階調差データおよび補正値テーブルは、補正データに含まれ、上述した初期階調差データおよび初期補正値テーブルは、初期補正データに含まれる。
【００４７】
ここで、本実施形態では、電子機器の製造段階に生じた初期表示むら、および、使用開始後の表示むらのみが反映された撮像画像データ、修正撮像画像データ、または、これらのいずれかの画像データを反転させたデータと、修正参照画像データまたはこれを反転させたデータとの比較結果に基づいて補正データを生成するので、補正データ生成部４１は、初期表示むら、および、使用開始後の表示むらを解消する座標毎の補正パラメータを補正値テーブルとして生成することになる。
【００４８】
画像データ補正部４２は、補正データ生成部４１によって生成された補正データを用いて、任意の画像データを補正する部分であり、座標発生部４２１と、補正データ出力部４２２と、乗算器４２３と、加算器４２４などを備えている。
【００４９】
図７に示されるように、座標発生部４２１は、画像データに同期した同期信号に基づいて、画像データ中の座標と対応する座標信号を生成し、補正データ出力部４２２に入力する。
【００５０】
補正データ出力部４２２は、座標信号に応じた補正パラメータを乗算器４２３および加算器４２４に出力する。具体的には、補正データ出力部４２２は、記憶部４８に格納された補正値テーブルから読み出すことで、これらを一時記憶部４９に格納し、その後に、座標発生部４２１から入力された座標信号の座標に対応する座標の補正パラメータを乗算器４２３および加算器４２４に出力する。つまり、補正データ出力部４２２は、電子機器の製造段階で生じた初期表示むら、および、電子機器の使用開始後に生じた表示むらを補正パラメータによって補正する。なお、補正データ出力部４２２は、電子機器の使用開始時から補正データが生成される時までの間、これを乗算器４２３および加算器４２４に出力してもよい。
【００５１】
図４に戻り、手振れ補正部４３は、後述する手振れ検出部５１によって生成される手振れ検出信号に基づいて、撮像素子３１またはレンズ群３２の補正レンズを変位させるための手振れ補正信号を生成する。なお、上述のように、撮像素子３１およびレンズ群３２が一つのユニットとして、このユニットが一体的に変位する場合、手振れ補正部４３は、ユニットを変位させるための手振れ補正信号を生成する。
【００５２】
なお、手振れ補正部４３は、撮像部３０に通常よりも露光時間を短くして撮像した複数の画像データを取得させ、それらを位置合わせして重ね合わせることによって、撮像部３０の揺れを打ち消すように、撮像データの画像処理を行う機能を備えてもよい。この場合には、撮像画像データの手振れを電子的に補正するため、手振れ検出部５１は設けられなくてもよく、手振れ補正部４３は、手振れ補正信号の生成に代えて、手振れによる悪影響のない撮像画像データを生成する。また、手振れ補正部４３は、撮像部３０によって取得された撮像画像データからぼけ関数（ＰＳＦ：Point Spread Function）を推定し、ウィーナフィルタなどで画像を復元することによって、手振れによる悪影響のない撮像画像データを生成してもよい。この場合も、上述した理由と同じ理由から、手振れ検出部５１は設けられなくてもよく、手振れ補正部４３は、手振れ補正信号の生成に代えて、手振れによる悪影響のない撮像画像データを生成する。
【００５３】
焦点調整部４４は、焦点センサ５２によって生成される焦点ずれ検出信号に基づいて、レンズ群３２のフォーカスレンズを変位させることにより、被写体に焦点を合わせるための焦点調整信号を生成する。
【００５４】
露出調整部４５は、照度センサ５３によって生成される照度検出信号に基づいて、撮像素子３１の撮像感度、レンズ群３２の絞り機構およびシャッター機構の少なくとも一つを調整するための照度調整信号を生成する。また、露出調整部４５は、照度検出信号に基づいて、補正画像生成システム１０の周囲の照度が所定値以下か否かを示す照度判定信号を生成する。
【００５５】
操作判定部４６は、ユーザーインターフェース５５によって生成される操作信号などに基づいて、補正画像生成システム１０の各部にプログラムの次のステップを実行させる制御信号を生成する。
【００５６】
操作画像生成部４７は、露出調整部４５によって生成される照度判定信号などに基づいて、ユーザがタッチパネルを操作する際の操作画像を表示するための特定の操作画像データを記憶部４８に格納された複数の操作画像データの中から選択し、選択した操作画像データを画像データに重畳する。
【００５７】
記憶部４８は、各種データを格納する部分であり、書き換え可能な不揮発性の記憶媒体によって構成され、修正参照画像データ、参照画像データ、初期補正データ、補正画像生成システム１０の製造段階の諸特性のデータ、操作画像データなどを格納している。また、記憶部４８は、補正データ生成部４１によって生成される補正データを格納し得る。さらに、記憶部４８は、補正データによって修正参照画像データを補正したデータなどを格納し得てもよい。
【００５８】
一時記憶部４９は、電子機器の動作中に、記憶部４８に格納された補正データなどのデータを読み出すことで、データを一時的に格納する部分であり、格納されたデータが読み出される読み出し速度が記憶部４８より速い揮発性の記憶媒体によって構成される。一時記憶部４９は、電子機器の動作中に、記憶部４８から補正データを読み出すことで、補正データを一時的に格納し得る。
【００５９】
検出部５０は、補正画像生成システム１０の内部または外部の物理量を検出信号として検出する部分であり、手振れ検出部５１と、焦点センサ５２と、照度センサ５３と、脱着検出部５４と、ユーザーインターフェース５５を備えている。
【００６０】
手振れ検出部５１は、撮像部３０の揺れによって生じる角速度および加速度を角速度検知信号および加速度検知信号としてそれぞれ検出するジャイロセンサ５１１および加速度センサ５１２を備えており、撮像部３０の揺れを角速度検知信号および加速度検知信号を含む手振れ検出信号として検出する。
【００６１】
焦点センサ５２は、例えば、位相差センサ、コントラストセンサ、またはこれらの両方を備えており、撮像部３０の撮像素子３１における被写体のピントのずれを焦点ずれ検出信号として検出する。
【００６２】
照度センサ５３は、例えば、フォトトランジスタまたはフォトダイオードなどによって構成され、補正画像生成システム１０の周囲の照度を照度検出信号として検出する。
【００６３】
脱着検出部５４は、補正画像生成システム１０が、図１Ｂに示されるように、本体１１から取外し自在な撮像部３０を備えた携帯機器１０Ｂである場合に、撮像部３０と本体１１との脱着状態を脱着検出信号として検出する。具体的には、脱着検出部５４は、例えば、電気コネクタ１１１、１２１に設けられる嵌合検知用の一対の端子間の導通状態によって、撮像部３０が本体１１に装着されているか否かを検出する。
【００６４】
ユーザーインターフェース５５は、例えば、タッチパネル、ボタン、または、音声認識ユニットなどによって構成され、ユーザの指示を操作信号として検出する。ユーザーインターフェース５５がタッチパネルである場合、タッチパネルは、表示パネル２１上に配置され、表示パネル２１からの発光光を透過するように、透光性の材料によって構成される。
【００６５】
（第２実施形態）
次に、上述の補正画像生成システムを用いた本発明の第２実施形態の画像制御方法が、図８Ａ〜９Ｂに示されるフローチャートを参照しながら、説明される。ここで、フローチャートに表わされた画像制御方法は、補正画像生成システム内のＣＰＵなどを含むコンピュータが、ＲＯＭに記憶される画像制御プログラムを読み出し、ＲＡＭを作業領域として、図４等に示される補正画像生成システムの各部分の機能を発揮させることによって実行される。
【００６６】
まず、例えば、ユーザが表示部２０に表示された所定の表示に触れることによって、制御部４０のＣＰＵは、画像制御プログラムを開始し、補正画像生成システム１０の各部分に以下の各ステップを行わせるように、画像制御プログラムを実行する。つまり、ユーザは、表示部２０に表示された表示画像に生じた表示むらＵ１〜Ｕ４を視認し、これを解消したいと感じるようなユーザ自らが意図するタイミングで、画像制御プログラムを実行することができる。具体的には、例えば、ユーザが、予め表示部２０に表示された「表示むら補正開始」の表示に触れることによって、ユーザーインターフェース５５が、操作信号を生成し、ＣＰＵは、生成された操作信号に基づいて、画像制御プログラムを実行する。
【００６７】
次に、表示部２０は、修正参照画像データに基づいて、参照画像を表示する（図８ＡのＳ１０）。この際、表示部２０に表示された参照画像において、電子機器の製造段階に生じていた初期表示むらは解消されている。上述したように、この初期表示むらは、主として、サブ画素２１１を構成する駆動用スイッチング素子２１１ｄおよび選択用スイッチング素子２１１ｓのスイッチング素子特性の製造ばらつきに起因して生じていたものである。記憶部４８には修正参照画像データが予め格納されており、表示部２０は、格納された修正参照画像データに基づいて、参照画像を表示する。これに代えて、記憶部４８に初期補正データと共に参照画像データが予め格納されていてもよい。この場合、画像データ補正部４２が、初期補正データを用いて参照画像データを補正することによって修正参照画像データを生成し、表示部２０が、生成された修正参照画像データに基づいて、参照画像を表示する。参照画像を表示するために用いられるデータは、記憶部４８から読み出されることで、画像制御プログラムの開始時に、一時記憶部４９に格納されるようにしてもよい。なお、表示パネル２１の表示特性に合うように、好ましくは、修正参照画像データに対してガンマ補正などの所定の補正が行われた上で、表示部２０は参照画像を表示する。
【００６８】
ここで、本実施形態で用いる参照画像データについて説明する。参照画像データは、複数の静止画像データからなり、例えば、単一の階調値を有する複数の画像データを含んでいる。具体的には、表示パネル２１のサブ画素２１１が、Ｒサブ画素、Ｇサブ画素、およびＢサブ画素によって構成される場合、参照画像データは、赤色の単一階調値、緑色の単一階調値、および青色の単一階調値を有する画像データを各色、複数の異なる階調値毎に設けた複数の画像データを有する画像データ群であることが好ましい。例えば、画像データが８ビット（２５６階調）の場合、参照画像データは、階調の中央値の近傍の階調値（例えば、階調値が１００）、階調の中央値より大きい階調値（例えば、階調値が２００）、および階調の中央値より小さい階調値（例えば、階調値が５０）の赤色、緑色、および青色でそれぞれ３個（合計９個）の画像データである。このように参照画像データを用いれば、電子機器の製造段階において、初期表示むらを解消するための初期補正データを生成する際に、初期表示むらを視覚的に認識しやすい。また、参照画像データが多数あれば、後述する各座標の補正値パラメータが正確に生成される。しかしながら、あまりに多くの参照画像データがあっても、表示画像の画質の改善に手間が掛かるため、記憶部４８は、異なる階調値で各色、２個〜５個の参照画像データを格納していることが好ましい。また、参照画像データは、単一階調値のグレースケールの画像データを複数の異なる階調値毎に設けた複数の画像データを有する画像データ群であってもよい。グレースケールの画像は、複数色のサブ画素２１１の発光の混合光によって構成されるため、後述するように、一回の参照画像の撮像で複数色のサブ画素２１１の表示むらを特定することができるので、補正データの生成ステップの時間が削減できる。この場合には、記憶部４８は、異なる階調値で、３個〜５個の参照画像データを格納していることが好ましい。また、参照画像データは、複数の単一色の帯状領域を有する、いわゆるカラーバーを表示するための画像データ、または、色または濃淡が連続的または段階的に変化する、いわゆるグラデーション表示を行うための画像データなどの規則的な階調値の変化を有する画像データであってもよく、これらの画像データを複数備えた画像データ群であってもよい。
【００６９】
修正参照画像データは、各参照画像データが初期補正データを用いて補正されることによって、生成される。修正参照画像データは、初期表示むらが解消されるように、初期補正データを用いて参照画像データを補正したデータであるため、上述したように、参照画像データが単一の階調値を有する画像データである場合には、修正参照画像データは、初期補正データによる補正により、複数の階調値を有する画像データとなる。また、参照画像データが規則的な階調値の変化を有する画像データである場合には、修正参照画像データは、初期補正データによる補正により、不規則な階調値の変化を有する画像データとなる。
【００７０】
次に、ユーザは、表示むらを解消するための補正が必要か否かを判断する（Ｓ１１）。具体的には、例えば、表示部２０が参照画像を表示した後に、時間間隔をおいて、操作画像生成部４７は、「補正必要」および「補正不要」のような２つの操作画像データを修正参照画像データに重畳した画像データに基づく操作画像を表示部２０に表示させる。そして、ユーザは、表示部２０に表示された参照画像の視認の結果、表示むらＵ１〜Ｕ４を確認した場合、「補正必要」の操作画像を触れることによって、Ｓ１２に進む。この表示むらＵ１〜Ｕ４は、上述したように、主として、各サブ画素を構成する有機ＥＬ素子などの画素素子の発光特性の経時劣化のばらつきに起因して生じている。他方、ユーザが表示むらＵ１〜Ｕ４を確認しなかった場合、「補正不要」の操作画像を触れることによって、画像制御プログラムが終了する。
【００７１】
ユーザが、表示むらを解消するための補正が必要であると判断した場合、露出調整部４５は、照度が規定値以下か否かを判定する（Ｓ１２）。具体的には、露出調整部４５が、補正画像生成システム１０の周囲の照度が規定値以下と判定した場合、操作画像生成部４７は、露出調整部４５が生成する照度判定信号に基づいて、「表示画像を撮って下さい」のような操作画像データを用いた操作画像を表示部２０に表示させる。これにより、ユーザは、表示部２０に表示された参照画像を撮像するように促される。ユーザが、参照画像の撮像の準備が完了した後、上記操作画像に触れることによって、ユーザーインターフェース５５は、操作信号を生成し、撮像部３０は、操作信号に基づいて操作判定部４６によって生成される制御信号によって、起動する。
【００７２】
他方、露出調整部４５が、周囲の照度が所定値を超えると判定した場合、露出調整部４５が生成する照度判定信号に基づいて、操作画像生成部４７は、例えば、「照明を暗くしましたか？」または「暗い場所に移動しましたか？」などのような操作画像データを用いた操作画像を表示部２０に表示させる。ユーザは、操作画像によって、周囲の照明を暗くしたり、暗い場所へ移動したりするように促される。そして、例えば、ユーザが暗い場所に移動した後、上記操作画像に触れることによって、ユーザーインターフェース５５は、操作信号を生成し、露出調整部４５は、操作信号に基づいて操作判定部４６によって生成される制御信号によって、再度照度を判定する。
【００７３】
次に、撮像部３０は、参照画像を撮像することによって、撮像画像データを取得する（Ｓ２０）。撮像画像データの取得は、Ｓ１２が完了した後、ユーザが、上述した「表示画像を撮って下さい」のような操作画像に触れることによって、撮像部３０が起動した後、自動的に開始される。撮像画像データの取得は、修正参照画像データが画像データ群によって構成される場合、表示部２０が画像データ群を構成する複数の画像データに基づく複数の参照画像を連続的に表示し、撮像部３０が各参照画像を撮像することによって行われる。補正画像生成システム１０が、図１Ａに示されるように、撮像部３０が本体１１と一体的に形成されている携帯機器１０Ａとしての機器構成である場合、撮像部３０は、一般的に、参照画像の鏡像を撮像することよって、撮像画像データを取得する。つまり、ユーザが、携帯機器１０Ａを携えて鏡Ｍの前に立ち、携帯機器１０Ａの第１面１１ａを鏡Ｍに映し出した状態で、表示部２０に表示された参照画像を撮像部３０により撮像する。他方、補正画像生成システム１０が、図１Ｃに示されるように、撮像部３０が本体１１と別機器１２で形成されているシステム１０Ｃとしての機器構成である場合、撮像部３０は、一般的に、参照画像を直接撮像することよって、撮像画像データを取得する。つまり、ユーザが、撮像部３０を携えて本体１１と対向するように立った状態で、表示部２０に表示された参照画像を撮像部３０により撮像する。なお、補正画像生成システム１０が、図１Ｂに示されるように、撮像部３０が本体１１から脱着自在である携帯機器１０Ｂである場合、前者、後者のいずれの手法でも、参照画像を撮像し得ることになる。
【００７４】
なお、制御信号によって、撮像部３０が起動すると、手振れ検出部５１は手振れ検出信号を生成して、これを手振れ補正部４３に入力し、手振れ補正部４３は、入力された手振れ検出信号に基づいて、手振れ補正信号を生成して、この手振れ補正信号を撮像部３０のアクチュエータ３３に入力することが好ましい。この場合、アクチュエータ３３は、入力された手振れ補正信号に基づいて、撮像部３０に対して撮像素子３１またはレンズ群３２を相対的に変位させる。これにより、いわゆる「手振れ」が撮像画像に生じないにくくなる。
【００７５】
また、焦点センサ５２は、焦点ずれ検出信号を生成して、これを焦点調整部４４に入力し、焦点調整部４４は、入力された焦点ずれ検出信号に基づいて、焦点調整信号を生成して、これを撮像部３０のアクチュエータ３３に入力することが好ましい。この場合、アクチュエータ３３は、入力された焦点調整信号に基づいて、撮像素子３１に対してレンズ群３２のフォーカスレンズを相対的に変位させる。これにより、いわゆる「ピントぼけ」が撮像画像データ中に生じにくくなる。また、アクチュエータ３３は、被写体に一度ピントが合わせられると、被写体が動いても自動的に追尾してピントを合わせ続けるようにフォーカスレンズを変位させてもよい。これにより、補正画像生成システム１０が、携帯機器１０Ａ、１０Ｂである場合にも、参照画像の撮像が容易になる。
【００７６】
さらに、照度センサ５３は、照度検出信号を生成して、これを露出調整部４５に入力し、露出調整部４５は、入力された照度検出信号に基づいて、照度調整信号を生成して、これを撮像部３０のアクチュエータ３３に入力することが好ましい。この場合、アクチュエータ３３は、入力された照度調整信号に基づいて、レンズ群３２の絞り機構およびシャッター機構の絞りの大きさ、およびシャッター速度をそれぞれ調整する。これにより、撮像画像データの階調値が適切に調整され、撮像画像データまたは撮像画像データに基づくデータと修正参照画像データまたは修正参照画像データに基づくデータとの比較が行いやすくなる。
【００７７】
Ｓ２０の後、補正データ生成部４１は、撮像画像データまたは撮像画像データに基づくデータと修正参照画像データまたは修正参照画像データに基づくデータとの比較結果に基づいて補正データを生成する（Ｓ３０）。Ｓ３０は、Ｓ２０が完了した段階で、自動的に行われてもよいし、Ｓ２０が完了した後に、「表示むらを補正しますか？」のような操作画像が自動的に表示され、ユーザがこの操作画像に触れることによって、行われてもよい。ここで、図１Ｂに示されるような、撮像部３０が本体１１と脱着自在な機器構成である場合、または、図１Ｃに示されるような、撮像部３０が本体１１と別機器である機器構成である場合には、本体１１に対する撮像部３０の相対的な位置が固定されていない。そのため、これらの機器構成においては、参照画像が直接撮像されている場合（撮像される参照画像が鏡像でない場合）も、鏡Ｍに映った参照画像が撮像されている場合（撮像される参照画像が鏡像である場合）もあり得る。しかしながら、図１Ｂに示されるような機器構成の場合であっても、撮像部３０が本体１１に装着されている場合には、図１Ａに示されるような携帯機器としての機器構成の場合と同様に、通常、ユーザは、鏡Ｍに映った参照画像を撮像する。そこで、図１Ｂに示されるような機器構成において、前述した脱着検出部５４から出力された脱着検出信号に基づいて、撮像部３０が本体１１に装着されていると判定される場合には、補正データ生成部４１の画像処理部４１１は、「鏡の使用あり」と判定してもよい。ここで、「鏡の使用あり」とは、撮像部３０によって撮像された参照画像が鏡像であることを意味し、「鏡の使用なし」とは、撮像部３０によって撮像された参照画像が鏡像でないことを意味するものとする。また、図１Ａに示されるような、撮像部３０が本体１１と一体的な機器構成である場合にも、通常、ユーザは、鏡Ｍに映った参照画像を撮像するため、画像処理部４１１は、「鏡の使用あり」として判定してもよい。
【００７８】
他方、図１Ｂに示される機器構成において、撮像部３０が本体１１から取り外されていると判定される場合、または、図１Ｃに示される機器構成の場合に、鏡Ｍの使用の有無を判定できるようにするため、画像処理部４１１は、表示部２０の表示面２０ａに表示されるか、または、本体１１の第１面１１ａの表示面２０ａ周辺の部分（本体１１の第１面１１ａの額縁部分）に設けられた認識マークＲを検出することによって、鏡Ｍの使用の有無を判定することが好ましい。なお、「第１面１１ａ」は、本体１１において表示部２０の表示面２０ａが露出している表面である。例えば、認識マークを表示面２０ａに表示する場合（図示せず）、特定の座標エリア（例えば、表示面の四隅のうちの一つにおいて一定の領域を占める座標エリア）のみに他のエリアの階調値と異なる階調値を有する画像データが、参照画像データまたは修正参照画像データとして用意されることが好ましい。つまり、表示面２０ａに表示される参照画像において特定の座標エリアが、鏡Ｍの使用の有無を検出するための認識マークとなる。そして、画像処理部４１１は、撮像部３０によって取得された撮像画像データから表示面２０ａの一部に表示される認識マークを検出することにより、鏡Ｍの使用の有無を判定する。また、図１Ｂまたは１Ｃに示される機器構成の場合に、ユーザによる撮像部３０の携帯状態によって、撮像部３０は、上下が逆さまの状態で参照画像を撮像したり、傾いた状態で参照画像を撮像したりする場合もあり得るため、認識マークは、撮像画像データの向き（撮像部３０によって撮像された参照画像の向き）を検出するために用いられてもよい。参照画像データまたは修正参照画像データは、認識マークを含んだ状態であってもよいし、参照画像データまたは修正参照画像データとは別に、認識マークに対応する画像データが記憶部４８に格納されていて、表示部２０に参照画像を表示する際に、認識マークに対応する画像データを参照画像データまたは修正参照画像データに重畳することによって、認識マークを含む参照画像を表示してもよい。
【００７９】
認識マークＲが本体１１に設けられる場合、画像処理部４１１は、撮像部３０によって取得された撮像画像データから表示面２０ａ周辺の部分に設けられた認識マークＲを検出することにより、撮像画像データの向き、および鏡Ｍの使用の有無を判定する。ここで、鏡Ｍの使用の有無および撮像画像データの向きを判定するために認識マークＲを必ずしも追加的に設けなくてもよい。たとえば、認識マークＲとして、特定の形状、模様、色彩などが、本体１１の第１面１１ａの表示面２０ａ周辺の部分に印刷または刻印されていてもよい。たとえば、第１面１１ａに表示されているロゴマークが認識マークＲとして用いられてもよい。なお、図１Ｃに示されるような機器構成の場合には、ユーザは、参照画像を直接撮像する可能性が高いため、画像処理部４１１は、鏡Ｍの使用の有無を考慮することなく、「鏡の使用なし」として判定してもよい。また、撮像部３０の撮像窓が略長方形の本体１１の第１面１１ａの縦横の中央線から外れる位置となるように、撮像部３０を本体１１に設ければ、撮像部３０の撮像窓３０ａが認識マークＲとなり得る。
【００８０】
そして、画像処理部４１１は、認識マークＲの検出結果に基づいて、「鏡の使用あり」と判定する場合には、撮像画像データおよび参照画像データのいずれか一方を反転させる画像処理を行うことが好ましい。なお、図１Ａに示される機器構成の場合、または、図１Ｂに示される機器構成であって、撮像部３０が本体１１に装着された状態で撮像画像データが取得された場合には、画像処理部４１１は、撮像画像データの取得時に、予め「鏡の使用あり」と判定してもよい。また、画像処理部４１１は、前述したように、撮像画像データの向きが参照画像データの向き（表示部２０によって表示される参照画像の向き）と異なる場合には、撮像画像データの向きを参照画像データの向きと一致させる画像処理を行ってもよい。この場合、参照画像が−θ度（θ：０度〜３６０度の任意の角度）で傾いた状態の撮像部３０で撮像されると、画像処理部４１１は、撮像画像データの座標を＋θ度で変換する（撮像された参照画像をθ度だけ回転させる）。
【００８１】
このように、機器構成に応じ、鏡Ｍの使用の有無や撮像画像データの向きを判定し、撮像画像データの反転や向きの補正をする画像処理を行った後、画像処理部４１１は、図３に示されるように、撮像画像データから参照画像の部分をトリミングしてもよい。以下では、説明の便宜のため、このような画像処理が行われた撮像画像データを単に撮像画像データという。また、参照画像データを反転させたデータも、単に、参照画像データという。
【００８２】
露出調整部４５によって撮像画像データの階調値が調整されても、撮像画像データの階調値が修正参照画像データの階調値と十分に合致しない（撮像された撮像画像のコントラストが表示された表示画像のコントラストと合わない）場合、階調調整部４１４は、撮像画像データの各座標の階調値を一定の値で乗算することによって、乗算後の撮像画像データの階調値が修正参照画像データの階調値と最も合致する乗算値を算出する。この場合、階調調整部４１４は、算出した乗算値を用いて撮像画像データの各座標の階調値を乗算した修正撮像画像データを生成する。具体的には、撮像画像データの各座標の階調値が修正参照画像データの各座標の階調値と一番多く合致する乗算値で、撮像画像データの各座標の階調値を乗算することによって、修正撮像画像データを生成する。なお、上述したように、撮像画像データは、ガンマ補正などの所定の補正がなされた後の修正参照画像データに基づいて表示された参照画像であるため、合致させるべき修正参照画像データにも、ガンマ補正などの所定の補正がなされている。一方、上述したように、撮像画像データの階調値が、予め、修正参照画像データの階調値と最も合致するように生成されている場合には、階調調整部４１４は、修正撮像画像データを生成しなくてもよい。この場合、以下で説明される各座標の補正パラメータの生成において、修正撮像画像データではなく、撮像画像データが用いられる。
【００８３】
次に、階調差生成部４１２は、修正撮像画像データと修正参照画像データとの座標毎の差分である階調差データを生成する。ここで、階調差生成部４１２は、ユーザが視認できない表示むらに過敏にならないように、差分値が許容値を超える座標を抽出することによって、階調差データを生成してもよい。この場合、差分値が許容値を超える座標については、実際の差分値が階調差テーブルに格納され、差分値が許容値以内の階調値の座標については、差分値が「０」として階調差テーブルに格納される。階調差テーブルの値が「０」の座標は、初期表示むら、および、使用開始後の表示むらが生じていない座標とされ、この座標について、後述するように、補正値生成部４１５は、補正パラメータを生成しない。階調差生成部４１２は、許容値として、例えば、全座標の階調値の標準偏差σとしたとき、０．５σ〜１．０σの間の値とすることが好ましい。
【００８４】
その後、補正値生成部４１５は、階調調整部４１４から入力された修正撮像画像データに基づいて、画像データの階調値とサブ画素２１１の画素素子２１１ｅに供給する電力との関係から、座標毎の補正パラメータを格納した補正値テーブルを生成する。具体的には、サブ画素２１１に入力されるデータ電圧値Ｖと画素素子２１１ｅから発光される光の輝度Ｌとの関係（以下、「Ｖ−Ｌ特性」という）は、図６のグラフに示される。表示むらが生じていないサブ画素２１１のＶ−Ｌ特性およびこれに対応するガンマ補正後の画像データの階調値Ｇと画素素子２１１ｅの輝度Ｌとの特性（Ｇ−Ｌ特性）は、表示部２０または補正画像生成システム１０の製造段階の諸特性の測定結果によって取得されており、記憶部４８に格納されている。例えば、表示むらが生じていないサブ画素２１１のＶ−Ｌ特性Ｃ０は、［数式１］で表される。
【００８５】
Ｌ＝α×（Ｖ−Ｖ0）    ［数式１］
（Ｖ0：オフセット電圧、α：Ｖ−Ｌ曲線のゲイン）
【００８６】
数式１に対応する、ガンマ補正後の画像データの階調値Ｇと輝度Ｌとの特性（Ｇ−Ｌ特性）は、［数式２］で表される。
【００８７】
Ｌ＝β×Ｇ    ［数式２］
（β：Ｇ−Ｌ曲線のゲイン）
【００８８】
表示むらの明部または暗部となって、表示むらが生じているサブ画素２１１のそれぞれのＶ−Ｌ特性Ｃ１、Ｃ２は、［数式３］で表される。
【００８９】
Ｌ＝（α＋Δα）×（Ｖ−（Ｖ0＋ΔＶ0））    ［数式３］
（ΔＶ0：オフセット電圧のずれ量、Δα：Ｖ−Ｌ曲線のゲインのずれ量）
【００９０】
数式３に対応する、Ｇ−Ｌ特性は、［数式４］で表される。
【００９１】
Ｌ＝（β＋Δβ）×（Ｇ−ΔＧ0）    ［数式４］
（ΔＧ0：階調値のずれ量、Δβ：Ｇ−Ｌ曲線のゲインのずれ量）
【００９２】
したがって、表示むらが生じているサブ画素２１１では、画像データの階調値Ｇを［数式５］に示される階調値Ｇ’に変換すれば表示むらを生じない。
【００９３】
Ｇ’＝ΔＧ0＋（Δβ／（β＋Δβ））×Ｇ    ［数式５］
【００９４】
このように、Ｇ−Ｌ曲線のゲインのずれ量を考慮した乗算値Ａ（［数式５］では、（Δβ／（β＋Δβ）））、および、Ｇ−Ｌ特性における階調値Ｇのずれ量を考慮した加算値Ｂ（［数式５］では、ΔＧ0）を算出する。補正値生成部４１５は、［数式４］を用いて、画像データにおける表示むらが生じている座標の２種類のずれ量（ΔＧ0、Δβ）を算出することによって、表示むらを解消するための乗算値Ａおよび加算値Ｂによって構成される補正パラメータを生成する。
【００９５】
補正値生成部４１５は、補正パラメータの生成を、例えば、以下のように行う。
例えば、まず、補正値生成部４１５は、階調差データにおいて差分値が「０」でない、初期表示むら、および、使用開始後の表示むらが生じているとされる座標を特定する。次に、補正値生成部４１５は、修正撮像画像データおよび修正参照画像データにおいて、特定した座標の階調値ＧU1およびＧR1をそれぞれ照合する（階調値ＧR1は、意図していたサブ画素２１１の輝度とするために初期表示むらを解消する補正がなされた階調値を示し、階調値ＧU1は、使用開始後の表示むらにより意図していない輝度となった実際のサブ画素２１１の輝度に対応する階調値を示す）。また、補正値生成部４１５は、［数式４］および対象としている座標の対応する初期補正パラメータを用いて、階調値ＧR1での意図していたサブ画素２１１の輝度ＬR1（図６中のＶ−Ｌ特性Ｃ１またはＣ２において、データ電圧値ＶがＶ１である場合の輝度ＬUに対応）を算出する。これに対して、階調値ＧU1での実際のサブ画素２１１の輝度ＬU1（図６中のＶ−Ｌ特性Ｃ１またはＣ２からさらに変化したＶ−Ｌ特性Ｃ１’またはＣ２’において、データ電圧値ＶがＶ１である場合の輝度ＬU’に対応）は、画像データの階調値がサブ画素２１１の輝度Ｌに比例することから、［数式６］で表される。
【００９６】
ＬU1＝ＧU1／ＧR1×ＬR1    ［数式６］
【００９７】
このようにして、表示むらが生じているサブ画素２１１における階調値ＧR1の際の輝度ＬU1と算出することができる。さらに、上述した手法と同じ手法で、別の階調値ＧR2における表示むらが生じているサブ画素２１１の輝度ＬU2を算出する。つまり、［数式４］では、求めるべき補正パラメータが２つ（ＡおよびＢ）あるため、上述した手法を用いることにより、補正値生成部４１５は、２つの異なる階調値の修正参照画像データに基づく２つの異なる参照画像から２組の階調値および電流値を取得し、［数式４］からずれ量（ΔＧ0、Δβ）を表示むらが生じているサブ画素２１１毎に算出する。そして、補正値生成部４１５は、算出されたずれ量（ΔＧ0、Δβ）および［数式５］から乗算値Ａおよび加算値Ｂをさらに算出することにより、１つのサブ画素２１１の補正パラメータを生成し、これを表示むらが生じているサブ画素２１１毎に行うことにより、各サブ画素２１１に対応する画像データの座標の補正パラメータを格納した補正値テーブルを生成する。表示パネル２１のサブ画素２１１が、Ｒサブ画素、Ｇサブ画素、およびＢサブ画素によって構成される場合、補正値生成部４１５は、上述した赤色の修正参照画像データ、緑色の修正参照画像データ、および青色の修正参照画像データに基づく赤色の参照画像、緑色の参照画像、および青色の参照画像をそれぞれ２つ撮像することによって、各色について、２つの修正撮像画像データを取得し、これにより得られる２組の階調値および電流値と［数式４］〜［数式６］から各色の補正パラメータを生成する。生成された補正パラメータを格納した補正値テーブルは、上述した階調差データと共に補正データに含まれる。これにより、電子機器の製造段階に生じた初期表示むら、および、使用開始後に生じた表示むらを解消するための補正データが得られる。生成された補正データは、例えば、一時記憶部４９に格納される。上述した初期補正データは、これと同じ手法により、電子機器の製造段階において、参照画像データを用いて表示された参照画像を撮像することによって、撮像画像データを取得し、撮像画像データまたは前記撮像画像データに基づくデータと、参照画像データまたは参照画像データに基づくデータとの比較結果に基づいて生成される。初期補正データは、電子機器の製造段階で生じていた表示むらを補正するために電子機器の製造段階で生成された補正データであり、予め、記憶部４８に格納されている。
【００９８】
ここでは、ずれ量（ΔＧ0、Δβ）が２つあるとして、２つの補正パラメータを生成したが、ずれ量が１つのみ（ΔＧ0、または、Δβ）として、補正パラメータ（ＡまたはＢ）を生成してもよい。乗算値Ａおよび加算値Ｂは、それぞれ、ずれ量ΔβおよびΔＧ0の一方のみに依存するため、ずれ量が１つのみとする場合、補正パラメータも１つとなる。この場合、算出すべき補正パラメータが１つであるため、１組の電圧値と電流値（つまり、１個の撮像画像データ）と数式２から補正パラメータの値を生成することができる。さらに、撮像部３０が、３つ以上（ｎ個）の異なる階調値の修正参照画像データを用いて表示された参照画像を撮像することによって３つ以上（ｎ個）の異なる撮像画像データを取得し、階調値が近接する２組の階調値および電流値と［数式４］〜［数式６］から、複数（ｎ−１個）のずれ量（ΔＧ0、Δβ）を算出することによって、補正パラメータを生成してもよい。この場合、ある近接する２つの階調値の間の階調値には、これら２組の階調値および電流値を用いて生成された補正パラメータが適用され、別の近接する２つの階調値の間の階調値には、これら２組の階調値および電流値を用いて算出された別の補正パラメータが適用される。これにより、より正確な補正パラメータが得られる。
【００９９】
補正値生成部４１５は、表示むらが生じている座標と表示むらが生じていない座標とのガンマ補正前の参照画像データの階調値が一致するとして、Ｇ−Ｌ特性を補正する補正パラメータを生成してもよい。この場合、補正値生成部４１５は、ガンマ補正されていないＧ−Ｌ特性から補正パラメータを生成するため、ガンマ補正を包含した補正パラメータを格納した補正値テーブルを生成することになる。また、補正パラメータの生成は、上述の方法に限定されず、参照画像データの階調値Ｇ（ガンマ補正の前後を問わない）、データ電圧値Ｖ、および、サブ画素２１１の輝度Ｌのいずれか２つの相関を示す任意の関数を用い、用いた関数のずれ量を算出し、算出したずれ量から補正パラメータを生成してもよい。補正パラメータを用いた乗算や加算などにより、ＣＰＵが何らかの形で、表示むらを解消するための画像データの補正を行なえればよい。
【０１００】
Ｓ３０の後、画像データ補正部４２は、補正データを用いて参照画像データが補正された２次参照画像データを生成する（Ｓ３１）。図７に示されるように、まず、画像データ補正部４２は、ガンマ補正用ＬＵＴに基づいて、参照画像データの階調値を変換することによって、各座標で一様に、ガンマ補正する。この際、ガンマ補正用ＬＵＴは、画像処理速度を早めるために、記憶部４８から読み出されることで、一時記憶部４９に予め格納されていることが好ましい。これと並行して、画像データ補正部４２は、画像データと同期した同期信号を座標発生部４２１に入力し、座標発生部４２１は、入力された同期信号に基づいて、画像信号に含まれる各座標の階調信号と対応する座標信号を生成し、補正データ出力部４２２に入力する。補正データ出力部４２２は、入力された座標信号に対応する表示むらが生じている座標の補正パラメータを一時記憶部４９に格納された補正値テーブルから読み出して、乗算値Ａを乗算器４２３に、加算値Ｂを加算器４２４にそれぞれ出力する（Ｓ３１では、図７の構成とは異なり、生成された補正データは未だ記憶部４８に格納されていない）。これにより、補正データを用いて参照画像データが補正された２次参照画像データが得られる。
【０１０１】
Ｓ３１の後、表示部２０は、２次参照画像データに基づく２次参照画像を表示する（Ｓ３２）。図４に示されるように、Ｓ３１において生成された２次参照画像データは、２次参照画像データの同期信号とともに、表示駆動部２２に入力される。その後、図５に示されるように、表示駆動部２２のデータ線駆動部２２Ｄおよび走査線駆動部２２Ｓは、所定のデータ処理を行うことによって、それぞれデータ信号および操作信号が生成する。そして、表示パネル２１は、データ信号および操作信号に基づいて、補正された画像を表示することとなる。
【０１０２】
Ｓ３２の後、ユーザは、２次参照画像に表示むらが生じているか否かを判定する（Ｓ３３）。例えば、Ｓ３２が終了した後に、操作画像生成部４７は、「表示むらアリ」、「表示むらナシ」のような２つの操作画像データを用いた操作画像を表示部２０に表示させる。そして、ユーザが、操作画像の「表示むらアリ」または「表示むらナシ」のいずれかの操作画像に触れることにより、ユーザーインターフェース５５は、操作信号を生成し、操作判定部４６は、操作信号に応じた制御信号を生成する。また、Ｓ３２において、２次参照画像を撮像することにより、自動的に表示むらの有無を判定してもよい。具体的には、まず、撮像部３０が、２次参照画像を撮像することで、撮像画像データを取得する。次に、上述した手法と同様に、修正撮像画像データを生成し、階調差生成部４１２が、修正撮像画像データと修正参照画像データとの間の階調差データを生成する。そして、表示むら判定部４１３が、例えば、±１階調値〜±２階調値を許容値として、生成された階調差データに許容値を超える座標がない場合に、表示むらが生じていないと判定し、そうでない場合に、表示むらが生じていないと判定してもよい。
【０１０３】
２次参照画像に表示むらが生じている場合には、表示部２０は、操作判定部４６が生成した操作信号に応じて、再度、Ｓ１１〜Ｓ３３を繰り返すために、修正参照画像データに基づいて、参照画像を表示する（Ｓ１０）。なお、２度目以降の繰返しの際には、Ｓ１１およびＳ１２の少なくとも一方が省略されてもよい。２次参照画像に表示むらが生じていない場合には、補正値生成部４１５は、操作判定部４６が生成した操作信号に応じて、参照画像データの補正に用いた補正データを記憶部４８に格納する（Ｓ３４）。これに加え、補正値生成部４１５は、補正データによって参照画像データを補正したデータを記憶部４８に格納してもよく、修正参照画像データを、補正データによって修正参照画像データを補正したデータに置き換えてもよい。これにより、補正データの生成プロセスが完了する。
【０１０４】
Ｓ３４の後、画像データ補正部４２は、Ｓ３０と同じ手法で、記憶部４８に格納された最新の補正データを用いて任意の画像データを補正する（図８ＢのＳ４０）。ここで、任意の画像データは、Ｓ３４の後に、表示部２０が表示する表示画像に対応する全ての画像データであり、静止画の画像データと動画の画像データの両方を含む。この際、本実施形態により得られる補正データは、電子機器の製造段階に生じた表示むらのみならず、使用開始後に生じた表示むらを解消する。そして、上述した手法と同じステップによって、新たな補正データが記憶部４８に格納されるまでの間、画像データ補正部４２は、この補正データを用いて画像データを補正する。
【０１０５】
一時記憶部４９は、上述したように、揮発性の記憶媒体によって構成されるので、電子機器の電源がオフされた際に、格納されていた補正値テーブルは消去される。しかしながら、電子機器の電源がオンされた際に、画像データ補正部４２が、補正値テーブルを記憶部４８から読み出すことで、これらを一時記憶部４９に格納させる。これにより、画像データ補正部４２は、電子機器の動作中に、より読み出し速度の速い記憶媒体から補正データを読み出すことができるので、表示むらを補正するための画像データの画像処理速度が速くなる。一方、電子機器の電源がオフされる際には、最新の補正データが不揮発性の記憶媒体によって構成される記憶部４８に格納され続けることで、電子機器の電源がオンされる毎に、補正データを生成する必要がなくなる。しかしながら、画像データ補正部４２は、記憶部４８から直接、最新の補正値テーブルを読み出し、これらを乗算器４２３および加算器４２４に出力することで、画像データを補正してもよい。この場合、一時記憶部４９を設ける必要がなくなる。なお、一時記憶部４９が補正データを格納する場合、格納されるデータは、上述したように、補正値テーブルだけでなく、補正データを構成する全てのデータであってもよい。
【０１０６】
Ｓ４０の後、表示部２０は、補正された画像データに基づいて画像を表示する（Ｓ５０）。これにより、製造段階において生じた初期表示むらだけでなく、使用開始後の経時劣化による表示むらを解消した表示画像が表示部２０に表示される。
【０１０７】
このように構成された補正画像生成システム、画像制御方法、および画像制御プログラムによれば、表示部２０が、電子機器の製造段階で生成された初期補正データによって参照画像データを補正した修正参照画像データに基づいて参照画像を表示している。そのため、表示むらを解消するための補正データを生成しようとする際に、表示部２０には、初期補正データによって既に解消されている初期表示むらを反映した参照画像は表示されず、使用開始後に生じた表示むらのみを反映した参照画像が表示される。したがって、ユーザは、主として、有機ＥＬ素子などの画素素子２１１ｅの経時劣化に起因する電子機器の使用開始後の経時劣化を的確に把握することができるので、表示画像の補正が必要となる適切な時期に、補正データ生成部４１に補正データを生成させることができる。
【０１０８】
また、補正データを生成する補正データ生成部４１と、補正データを用いて画像データを補正する画像データ補正部４２が、表示部２０と一体的に本体１１に備えられているため、補正画像生成システム１０が本体１１と一体的に撮像部３０を備える機器構成か否かを問わず、本体１１を操作するユーザが意図するタイミングで、画像制御プログラムの実行によって、何度でも、経時劣化した表示部２０の画質を改善することができる。つまり、本体１１がユーザに届けられた段階において、製造段階で表示部２０に発生した初期表示むらを解消するために生成された初期補正データが本体１１の記憶部４８に格納されている。したがって、初期補正データを用いることによって、初期表示むらが解消された画像が表示部２０に表示される。しかしながら、表示パネル２１の画素素子２１１ｅの経時劣化の違いに伴い、再び表示部２０に表示むらが生じてしまう。このような場合に、ユーザが表示部２０の表示むらを把握した際に、画像制御プログラムの実行によって、補正データ生成部４１が、撮像画像データまたは修正撮像画像データと修正参照画像データとの比較結果に基づいて、補正データを生成し、画像データ補正部４２が、補正データによって、その後の全ての画像データを補正することができる。これにより、ユーザは、電子機器の製造段階に生じた初期表示むらに加え、使用開始後に生じた表示部２０の表示むらを何度でも解消することができる。
【０１０９】
使用開始後の表示むらを解消するために、複数回、補正データを生成した場合、それより前に生成された補正データは削除されてもよい。または、新たに生成された補正データを前回の補正データと置き換えてもよい。しかしながら、初期表示むらを解消するため、および、電子機器の出荷時の状態に何時でも戻すことができるようにするために、初期補正データは削除されないことが好ましい。また、Ｓ１０〜Ｓ３４までの一連のステップを完了する毎に、記憶部４８は、新たに生成された補正データによって参照画像データを補正したデータを格納してもよく、記憶部４８が修正参照画像データを格納している場合、修正参照画像データを、補正データによって参照画像データを補正したデータに置き換えてもよい。
【０１１０】
さらに、補正データ生成部４１は、電子機器の製造段階で生じた初期表示むら、および、電子機器の使用開始後に生じた表示むらを補正する補正データをそれぞれ別々のデータとして生成するのではなく、これらの表示むらを補正する補正データを１つに纏められたデータとして生成する。そのため、画像データ補正部４２は、複数のデータではなく、単一のデータを用いて画像データを補正することができるので、画像データを補正する際の補正データ生成部４１への負荷が小さくなる。そのため、電子機器を安定に動作させながら画像データを補正することができる。
【０１１１】
また、本体１１の記憶部４８に格納された同じ画像制御プログラムに基づいて、製造段階では、初期補正データが生成され、使用段階では、その後の補正データが生成されるので、初期補正データとその後の補正データとの互換性を考慮する必要がなくなる。
【０１１２】
一時記憶部４９から補正データが読み出される場合には、画像データ補正部４２が、より読み出し速度が速い記憶媒体から補正データを読み出すことで、表示むらを補正するための画像処理速度が速くなるので、動画のようなデータサイズが大きい画像データの場合であっても、画像データの補正がスムーズに行われるようになる。一方、記憶部４８から補正データが読み出される場合には、一時記憶部４９を設ける必要がなくなるため、補正画像生成システム１０の構成が簡素化される。
【０１１３】
（第３実施形態）
本発明の第３実施形態の画像制御方法では、第２実施形態のＳ３０において、補正値生成部４１５は、撮像画像データにおける、表示むらの明部の階調値を調整し、表示むらの暗部の階調値を維持することによって、補正データを生成する。これについて、図９に示されるフローチャートに基づいて、本実施形態が説明される。なお、本実施形態は、補正データを生成するステップ（Ｓ３０）が、第２実施形態と異なるため、異なる点についてのみ、以下で説明される。
【０１１４】
まず、Ｓ２０の後、表示むら判定部４１３は、第３実施形態と同様に、階調差生成部４１２から入力される階調差データに基づいて、初期表示むら、および、使用開始後の表示むらが生じている座標について、表示むらが、明部であるか暗部であるかを判定する（Ｓ３０１）。
具体的には、表示むら判定部４１３は、階調差データの値が０である座標を表示むらがないとし、階調差データの値が正の値の座標を明るい表示むらがあり、階調差データの値が負の値の座標を暗い表示むらがあるとする。
【０１１５】
Ｓ３０１において、表示むら判定部４１３が、その座標の表示むらが暗部であると判定する場合、補正値生成部４１５は、その座標において、表示むらが生じていない座標と同様に、補正パラメータを生成しない（Ｓ３０４）。他方、そうでない場合（つまり、Ｓ３０１において、表示むら判定部４１３が、表示むらの明部であると判定する場合）、補正値生成部４１５は、上述した通り、補正パラメータを生成する（Ｓ３０５）。
【０１１６】
Ｓ３０４およびＳ３０５の後、補正値生成部４１５は、表示むらが生じている全ての座標について、補正パラメータの生成が終了しているかどうかを判定する（Ｓ３０６）。終了している場合には、図８Ａに示されるＳ３１を実行し、終了していない場合には、補正値生成部４１５は、補正パラメータの生成が終了してない座標について、Ｓ３０１を行う。
【０１１７】
このような構成である本実施形態では、第２実施形態では、表示むらの明部および暗部となっている座標の両方について、補正パラメータを生成するのに対し、表示むらの暗部となっている座標については、補正パラメータを生成しない。つまり、表示むらの暗部である座標に対応するサブ画素２１１では、今後、画素素子２１１ｅの発光特性の経時劣化が進んでいくことが予想される。このような画素素子２１１ｅを他素子と同様に発光させるためには、他素子より大きい電力を供給するように、画像データの階調値を補正する必要がある。この画像データの補正によって、画素素子２１１ｅの劣化を促進させてしまう。本実施形態では、そのようなサブ画素２１１に対応する画像データの階調値については、補正を行わないため、経時劣化の促進が抑制される。
【０１１８】
なお、本実施形態以外の画像制御を行なってもよく、例えば、Ｓ３０において、補正値生成部４１５は、撮像画像データにおける、表示むらの暗部の階調値を調整し、表示むらの明部の階調値を維持することによって、補正データを生成してもよい。この場合、表示むらとして目立つ暗い表示むらが解消されるので、表示部２０に表示される画像の画質を効率的に向上させることができる。
【０１１９】
（その他の実施形態）
第２および第３実施形態の画像制御方法は、補正画像生成システム１０に含まれるコンピュータが、事前に用意された画像制御プログラムを用いることによって、実現される。画像制御プログラムは、上述されたような、補正画像生成システム１０に含まれる記憶部４８のＲＯＭだけでなく、ＣＤ−ＲＯＭ、ＤＶＤ−ＲＯＭ、半導体メモリ、磁気ディスク、光磁気ディスク、磁気テープなどのコンピュータで読み取り可能な非一時的（non-transitory）な記録媒体に記録されてもよい。画像制御プログラムは、コンピュータによって記録媒体から読み出されることによって実行される。また、画像制御プログラムは、インターネット等のネットワークを介して配布可能な伝送媒体であってもよい。
【０１２０】
（まとめ）
本発明の態様１に係る補正画像生成システムは、表示部、参照画像データを補正した所定の画像データを格納した記憶部、前記表示部に表示される参照画像を用いて補正データを生成する補正データ生成部、および前記補正データを用いて画像データを補正する画像データ補正部を含む電子機器の本体と、前記参照画像を撮像することによって撮像画像データを取得する撮像部とを備え、前記所定の画像データは、前記電子機器の製造段階で生成された初期補正データによって前記参照画像データを補正した修正参照画像データであり、前記表示部は、前記修正参照画像データに基づいて前記参照画像を表示し、前記補正データ生成部は、前記撮像画像データまたは前記撮像画像データに基づくデータと、前記修正参照画像データまたは前記修正参照画像データに基づくデータとの比較結果に基づいて前記補正データを生成する。
【０１２１】
本発明の態様１の構成によると、表示部には、電子機器の製造段階ではなく、使用開始後に生じた表示むらのみ反映した参照画像が表示されるので、ユーザは、使用開始後の電子機器の経時劣化を的確に把握することができる。これにより、ユーザは、表示画像の補正が必要となる適切な時期に、補正データ生成部に補正データを生成させることができる。また、補正データ生成部は、電子機器の製造段階で生じた初期表示むら、および、電子機器の使用開始後に生じた表示むらを補正する補正データを１つに纏められたデータとして生成するため、画像データを補正する際の補正データ生成部への負荷が小さくなる。そのため、電子機器を安定に動作させながら画像データを補正することができる。
【０１２２】
本発明の態様２に係る補正画像生成システムでは、上記態様１において、前記参照画像データは、単一の階調値を有する画像データであり、前記修正参照画像データは、複数の階調値を有する画像データであることが好ましい。
【０１２３】
本発明の態様２の構成によると、単純な参照画像データを用いることによって、補正データ生成部が、表示むらを解消するための補正データを適切に生成することができるので、補正画像生成システムに対する負荷が低減される。
【０１２４】
本発明の態様３に係る補正画像生成システムでは、上記態様１において、前記参照画像データは、規則的な階調値の変化を有する画像データであり、前記修正参照画像データは、不規則な階調値の変化を有する画像データであることが好ましい。
【０１２５】
本発明の態様３の構成によると、単純な参照画像データを用いることによって、補正データ生成部が、表示むらを解消するための補正データを適切に生成することができるので、補正画像生成システムに対する負荷が低減される。
【０１２６】
本発明の態様４に係る補正画像生成システムでは、上記態様１〜３のいずれかにおいて、前記記憶部は、書き換え可能な不揮発性の記憶媒体であることが好ましい。
【０１２７】
本発明の態様４の構成によると、補正画像生成システムの動作後も、適宜生成された補正データなどの様々なデータを不揮発性の記憶部に格納し続けることができる。これにより、次回動作時も、補正データ生成システムは、記憶部に格納されたデータを用いることができる。
【０１２８】
本発明の態様５に係る補正画像生成システムでは、上記態様４において、格納されたデータが読み出される読み出し速度が前記記憶部より速い揮発性の一時記憶部をさらに備えることが好ましい。
【０１２９】
本発明の態様５の構成によると、一時記憶部に必要なデータを格納することにより、補正画像生成システムの動作速度が速くなるので、補正画像生成システムの動作がスムーズになる。
【０１３０】
本発明の態様６に係る補正画像生成システムでは、上記態様５において、前記記憶部は、前記補正データ生成部が生成した前記補正データを格納し、前記一時記憶部は、前記電子機器の動作中に、前記記憶部から前記補正データを読み出すことで、前記補正データを一時的に格納し、前記画像データ補正部は、前記一時記憶部に格納される前記補正データを読み出すことで、前記画像データを補正することが好ましい。
【０１３１】
本発明の態様６の構成によると、画像データ補正部が、記憶部ではなく一時記憶部から補正データを読み出すので、補正データを用いて画像データを補正するための画像処理速度が速くなる。したがって、画像データの補正がスムーズに行われる。
【０１３２】
本発明の態様７に係る画像制御方法は、所定の画像データに基づいて、参照画像を表示する第１ステップと、前記参照画像を撮像することによって、撮像画像データを取得する第２ステップと、前記撮像画像データを用いて補正データを生成する第３ステップと、前記補正データを用いて画像データを補正する第４ステップとを含み、前記所定の画像データは、前記参照画像を表示する表示部を含む電子機器の製造段階で生成された初期補正データによって参照画像データを補正した修正参照画像データであり、前記撮像画像データまたは前記撮像画像データに基づくデータと、前記修正参照画像データまたは前記修正参照画像データに基づくデータとの比較結果に基づいて前記補正データを生成する。
【０１３３】
本発明の態様７の構成によると、電子機器の製造段階ではなく、使用開始後に生じた表示むらのみ反映した参照画像が表示されるので、ユーザは、使用開始後の電子機器の経時劣化を的確に把握することができる。これにより、ユーザは、表示画像の補正が必要となる適切な時期に、補正データを生成させることができる。また、電子機器の製造段階で生じた初期表示むら、および、電子機器の使用開始後に生じた表示むらを補正する補正データを１つに纏められたデータとして生成するため、画像データを補正する際の電子機器への負荷が小さくなる。そのため、電子機器を安定に動作させながら画像データを補正することができる。
【０１３４】
本発明の態様８に係る画像制御方法では、上記態様７において、前記第３ステップにおいて、前記撮像画像データにおける表示むらの明部の階調値を調整し、前記表示むらの暗部の階調値を維持する前記補正データを生成することが好ましい。
【０１３５】
本発明の態様８の構成によると、経時劣化が進んでいることが予想される使用開始後の表示むらの暗部を構成する部分の表示部における表示特性の経時劣化が抑制される。
【０１３６】
本発明の態様９に係る画像制御方法では、上記態様７において、前記第３ステップにおいて、前記撮像画像データにおける表示むらの暗部の階調値を調整し、前記表示むらの明部の階調値を維持する前記補正データを生成することが好ましい。
【０１３７】
本発明の態様９の構成によると、表示むらとして目立つ暗い表示むらが解消されるので、表示部に表示される画像の画質を効率的に向上させることができる。
【０１３８】
本発明の態様１０に係る画像制御方法では、上記態様７において、前記第３ステップにおいて、前記撮像画像データにおける表示むらの明部の階調値および暗部の階調値の両方を調整する前記補正データを生成することが好ましい。
【０１３９】
本発明の態様１０の構成によると、表示むらの明暗が共に解消されるので、表示部に表示される画像の画質を大幅に向上させることができる。
【０１４０】
本発明の態様１１に係る画像制御プログラムは、画像データに基づいて画像を表示する表示部、参照画像データを補正した所定の画像データを格納した記憶部、前記画像データの補正データを生成する補正データ生成部、および前記画像データを補正する画像データ補正部を備える電子機器の本体と、被写体を撮像する撮像部とを含む補正画像生成システムにおける前記画像の表示むらを補正させるための画像制御プログラムにおいて、前記所定の画像データは、前記電子機器の製造段階で生成された初期補正データによって前記参照画像データを補正した修正参照画像データであり、前記表示部に、前記修正参照画像データに基づいて、参照画像を表示させる第１ステップと、前記撮像部に、前記参照画像を撮像させることによって、撮像画像データを取得させる第２ステップと、前記補正データ生成部に、前記撮像画像データまたは前記撮像画像データに基づくデータと前記修正参照画像データまたは前記修正参照画像データに基づくデータとの比較結果に基づいて前記補正データを生成させる第３ステップと、前記画像データ補正部に、前記補正データを用いて前記画像データを補正させる第４ステップとを前記補正画像生成システムに実行させる。
【０１４１】
本発明の態様１１の構成によると、表示部には、電子機器の製造段階ではなく、使用開始後に生じた表示むらのみ反映した参照画像が表示されるので、ユーザは、使用開始後の電子機器の経時劣化を的確に把握することができる。これにより、ユーザは、表示画像の補正が必要となる適切な時期に、補正データ生成部に補正データを生成させることができる。また、補正データ生成部は、電子機器の製造段階で生じた初期表示むら、および、電子機器の使用開始後に生じた表示むらを補正する補正データを１つに纏められたデータとして生成するため、画像データを補正する際の補正データ生成部への負荷が小さくなる。そのため、電子機器を安定に動作させながら画像データを補正することができる。
【０１４２】
本発明の態様１２に係る記録媒体は、上記態様１１の画像制御プログラムを記憶した、コンピュータで読み取り可能な非一時的な記録媒体である。
【０１４３】
本発明の態様１２の構成によると、記憶された画像制御プログラムの実行によって、本体を操作するユーザが意図するタイミングで、何度でも、補正データ生成部に補正データを生成させることができる。したがって、画像データ補正部に補正データを用いて補正させた画像データによって、経時劣化した表示部の画質を改善させることができる。
【符号の説明】
【０１４４】
１０    補正画像生成システム
１１    本体
２０    表示部
３０    撮像部
４０    制御部
４１    補正データ生成部
４２    画像データ補正部
４８    記憶部
４９    一時記憶部
Ｕ１、Ｕ４    表示むらの暗部
Ｕ２、Ｕ３    表示むらの明部
【要約】
補正画像生成システムは、表示部、参照画像データを補正した所定の画像データを格納した記憶部、表示部に表示される参照画像を用いて補正データを生成する補正データ生成部、および補正データを用いて画像データを補正する画像データ補正部を含む電子機器の本体と、参照画像を撮像することによって撮像画像データを取得する撮像部とを備える。所定の画像データは、電子機器の製造段階で生成された初期補正データによって参照画像データを補正した修正参照画像データであり、表示部は、修正参照画像データに基づいて参照画像を表示し、補正データ生成部は、撮像画像データまたは撮像画像データに基づくデータと、修正参照画像データまたは修正参照画像データに基づくデータとの比較結果に基づいて補正データを生成する。【図１Ａ】
0006732144.tif 000002
【図１Ｂ】
0006732144.tif 000003
【図１Ｃ】
0006732144.tif 000004
【図２】
0006732144.tif 000005
【図３】
0006732144.tif 000006
【図４】
0006732144.tif 000007
【図５】
0006732144.tif 000008
【図６】
0006732144.tif 000009
【図７】
0006732144.tif 000010
【図８Ａ】
0006732144.tif 000011
【図８Ｂ】
0006732144.tif 000012
【図９】
0006732144.tif 000013